(57)【要約】      （修正有）【課題】電子化された電子図面をもとに製品を作成して出庫する製品出庫突合方法および製品出庫突合システムに関し、電子図面から作成する特注品のように形状などが微妙に異なる部品等の出庫間違いを完全に防止することを目的とする。【解決手段】製品８を作成する電子図面から固有値を作成するステップと、電子図面を作成先に送付するステップと、送付した電子図面から作成された固有値の書き込まれたＩＣタグ９が貼付された、電子図面から作成された製品を受け取るステップと、出庫時に、作成して記憶しておいた固有値あるいは電子図面から作成した固有値と、受け取った製品に貼付されているＩＣタグ９から読み取った固有値とが一致したときに出庫指示するステップとを有する。【選択図】図１
2006290519.tif 000002
【特許請求の範囲】
【請求項１】
電子化された電子図面をもとに製品を作成して出庫する製品出庫突合方法において、
製品を作成する電子図面から固有値Ａを作成するステップと、
前記電子図面を作成先に送付するステップと、
前記送付した電子図面から作成された固有値Ｈの書き込まれたＩＣタグが貼付された、当該電子図面から作成された製品を受け取るステップと、
出庫時に、前記作成して記憶しておいた固有値Ａあるいは前記電子図面から作成した固有値Ａと、前記受け取った製品に貼付されているＩＣタグから読み取った固有値Ｈとが一致したときに出庫指示するステップと
を有する製品出庫突合方法。
【請求項２】
電子化された電子図面をもとに製品を作成して出庫する製品出庫突合方法において、
製品を作成する電子図面から固有値Ａを作成するステップと、
前記電子図面を作成先に送付するステップと、
前記送付された電子図面を受信するステップと、
前記受信した電子図面から作成した固有値Ｈを書き込んだＩＣタグを貼付した、当該電子図面から作成した製品を配送指示するステップと、
前記配送指示されたＩＣタグの貼付された製品を受け取るステップと、
前記受け取ったＩＣタグの貼付された製品の出庫時に、前記作成して記憶しておいた固有値Ａあるいは前記電子図面から作成した固有値Ａと、前記受け取った製品に貼付されているＩＣタグから読み取った固有値Ｈとが一致したときに出庫指示するステップと
を有する製品出庫突合方法。
【請求項３】
前記固有値は、前記電子図面のハッシュ値、圧縮したデータ、あるいは暗号化したデータとしたことを特徴とする請求項１あるいは請求項２記載の製品出庫突合方法。
【請求項４】
前記送付は、ネットワークを介して依頼元と依頼先で電子図面の送付を行うことを特徴とする請求項１から請求項３のいずれかに記載の製品出庫突合方法。
【請求項５】
電子化された電子図面をもとに製品を作成して出庫する製品出庫突合システムにおいて、
製品を作成する電子図面から固有値Ａを作成する手段と、
前記電子図面を作成先に送付する手段と、
前記送付した電子図面から作成された固有値Ｈの書き込まれたＩＣタグが貼付された、当該電子図面から作成された製品を受け取る手段と、
出庫時に、前記作成して記憶しておいた固有値Ａあるいは前記電子図面から作成した固有値Ａと、前記受け取った製品に貼付されているＩＣタグから読み取った固有値Ｈとが一致したときに出庫指示する手段と
を備えたことを特徴とする製品出庫突合システム。
【請求項６】
電子化された電子図面をもとに製品を作成して出庫する製品出庫突合システムにおいて、
製品を作成する電子図面から固有値Ａを作成する手段と、
前記電子図面を作成先に送付する手段と、
前記送付された電子図面を受信する手段と、
前記受信した電子図面から作成した固有値Ｈを書き込んだＩＣタグを貼付した、当該電子図面から作成した製品を配送指示する手段と、
前記配送指示されたＩＣタグの貼付された製品を受け取る手段と、
前記受け取ったＩＣタグの貼付された製品の出庫時に、前記作成して記憶しておいた固有値Ａあるいは前記電子図面から作成した固有値Ａと、前記受け取った製品に貼付されているＩＣタグから読み取った固有値Ｈとが一致したときに出庫指示する手段と
を備えたことを特徴とする製品出庫突合システム。
【発明の詳細な説明】
【技術分野】
【０００１】
本発明は、電子化された電子図面をもとに製品を作成して出庫する製品出庫突合方法および製品出庫突合システムに関するものである。
【背景技術】
【０００２】
従来、特注品の部品等の製作依頼は、図面をＦＡＸなどで相手先の会社（例えば協力会社）へ送信し、相手先は受け取った図面をもとに部品等を作成し、作成が完成すると当該完成した部品等に伝票を添付して元の依頼元に送付する。依頼元では、送付された部品等に添付された伝票をもとに在庫管理し、必要に応じて部品等を出庫している。
【０００３】
また、電子図面に当該電子図面のハッシュ値を書き込んだタグを添付し、コピーされた電子図面に添付されているタグとを比較し、電子図面同士の真正を判断する技術がある（特許文献１）。
【特許文献１】特開２００１−１９５３０６号公報
【発明の開示】
【発明が解決しようとする課題】
【０００４】
上述した前者では、図面をもとに部品等の製作依頼して製作された部品等に添付された伝票をもとに在庫管理し、要求に応じて出庫していたため、品名が同じでその形状などが微妙に異なる特注品などでは出庫間違いが多々発生するという問題があった。
【０００５】
また、上述した後者では、元の電子図面と、コピーした電子図面とを比較し、元の電子図面との真正をチェック（途中で改変されていないことをチェック）するものであり、特注品のように微妙に形状などが異なる部品等の出庫時に間違いが発生しないようにすることには適用し得ないという問題があった。
【課題を解決するための手段】
【０００６】
本発明は、これらの問題を解決するため、依頼元で電子図面から生成した固有値Ａを記憶すると共に当該電子図面を依頼先に送付し、依頼先で当該電子図面をもとに作成した部品等に当該電子図面から生成した固有値Ｈを書き込んだＩＣタグを添付して依頼元などに納品し、出庫時に、記憶した固有値ＡとＩＣタグから読み出した固有値Ｈとを比較して一致したときに出庫するようにしている。
【発明の効果】
【０００７】
本発明は、依頼時に電子図面から生成して記憶した固有値Ａと、依頼先で電子図面から生成された固有値Ｈの書き込まれたＩＣタグから読み出した当該固有値Ｈとが一致したときに出庫することにより、電子図面から作成する特注品のように形状などが微妙に異なる部品等の出庫間違いを完全に防止することが可能となる。
【発明を実施するための最良の形態】
【０００８】
本発明は、依頼元で電子図面から生成した固有値Ａを記憶すると共に当該電子図面を依頼先に送付し、依頼先で当該電子図面をもとに作成した部品等に当該電子図面から生成した固有値Ｈを書き込んだＩＣタグを添付して依頼元などに納品し、出庫時に、記憶した固有値ＡとＩＣタグから読み出した固有値Ｈとを比較して一致したときに出庫し、電子図面から作成する部品等の出庫間違いを完全に防止することを実現した。
【実施例１】
【０００９】
図１は、本発明のシステム構成図を示す。
図１において、受注図面管理システム１は、ネットワーク２１に接続され、受注した製品（部品等）の図面（電子図面）を管理すると共に、当該電子図面をもとに作成した製品を管理などするものであって、ここでは、図示の図面入力手段２、処理部３、電子図面ＤＢ６，ＩＣタグリーダ・ライタ７、製品８１、ＩＣタグ９１、出力部１０などから構成されるものである。
【００１０】
図面入力手段２は、製品を作成する図面を入力して電子図面ＤＢ６に格納するものであって、例えば依頼元の会社からＦＡＸ（あるいは電子メール）で送付された図面のビットマップデータ（あるいはＣＡＤデータなど）を受信し、ファイルとした電子図面（ビットマップあるいはＣＡＤデータなど）を電子図面ＤＢ６に格納するものである。
【００１１】
処理部３は、プログラムに従い各種処理（電子図面を電子図面ＤＢ６に格納したり、電子図面をネットワーク２１を介して製作依頼先の工程管理システム１１に送信したりなどの各種処理）を実行するものであって、ここでは、ハッシュ作成手段４、確認手段５などから構成されるものである。
【００１２】
ハッシュ作成手段４は、電子図面からハッシュ値Ａを作成するものである（図２から図４を用いて後述する）。
【００１３】
確認手段５は、電子図面から作成したハッシュ値Ａと、納品された製品８１に貼付されているＩＣタグ９１から読み取ったハッシュ値Ｈとを比較し、一致したときに出庫指示したりなどするものである（図２から図４を用いて後述する）。
【００１４】
電子図面ＤＢ６は、電子図面を保管するものであって、ここでは、ハッシュ作成手段４によって作成された電子図面のハッシュ値Ａを当該電子図面に付加して（あるいは関連づけて）記憶したりなどするものである（図２、図３および図４の（ａ）参照）。
【００１５】
ＩＣタグリーダ・ライタ７は、製品８１に貼付されたＩＣタグ９１から製品情報およびハッシュ値Ｈを読み出したりなどするものである（図２、図４の（ｂ）参照）。
【００１６】
製品８１は、電子図面から作成された製品であって、例えば特注品生成物（部品など）であって、ここでは、製品情報および作成したときに使用した電子図面から生成したハッシュ値Ｈを書き込んだＩＣタグ９１を貼付したものである。
【００１７】
ＩＣタグ９１は、製品に貼付した無線でデータの読み書き可能なＩＣタグであって、ここでは、製品８１を作成したときに使用した電子図面から生成したハッシュ値Ｈと、当該製品情報（品名など）を書き込んだものである（図２、図４の（ｂ）参照）。
【００１８】
出力部１０は、各種情報を印刷などするものであって、例えばプリンタである。
工程管理システム１１は、ネットワーク２１に接続され、製作依頼された電子図面を受信して管理および電子図面をもとに作成した製品８を管理などするものであって、ここでは、図示のＰＣ装置１２、電子図面ＤＢ１４、ＩＣリーダ・ライタ１５、製品８、ＩＣタグ９などから構成されるものである。
【００１９】
ＰＣ装置１２は、パソコンなどのコンピュータ装置であって、プログラムに従い各種処理を実行（例えばネットワーク２１を介して受信した電子図面を電子図面ＤＢ１４に格納したりなどの各種処理を実行）するものであり、ここでは、ハッシュ作成手段１３などから構成されるものである。
【００２０】
ハッシュ作成手段１３は、受信した作成依頼された電子図面からハッシュ値Ｈを生成するものである（図２、図４の（ｂ）参照）。
【００２１】
電子図面ＤＢ１４は、ネットワーク２１を介して受信した電子図面を格納して管理するものである（図２、図３、図４の（ｂ）参照）。
【００２２】
ＩＣタグリーダ・ライタ１５は、電子図面をもとに作成した製品８に貼付したＩＣタグ９に製品情報およびハッシュ値Ｈを書き込んだりなどするものである。
【００２３】
製品８は、電子図面をもとに作成した製品（特注品作成物など）である（図２、図３、図４の（ｂ）参照）。
【００２４】
ＩＣタグ９は、作成した製品８に貼付した無線でデータを読み書き可能なＩＣタグであって、ここでは、製品情報および作成した電子図面から作成したハッシュ値を書き込んだものである（図２、図４の（ｂ）参照）。
【００２５】
ネットワーク２１は、受注図面管理システム１と工程管理システム１１とが相互に通信するためのネットワークであって、例えば公衆回線、インターネット、ＬＡＮなどである。
【００２６】
次に、図２のフローチャートの順番に従い、図１の構成の動作を詳細に説明する。
図２は、本発明の動作説明フローチャートを示す。図中の受注図面管理システム１および工程管理システム１１は、図１の受注図面管理システム１および工程管理システム１１に対応する。
【００２７】
（１）  顧客より特注品の図面を受信して製造依頼を受け、製造先に電子図面を送付して製造依頼するときの手順を詳細に説明する。
【００２８】
図２において、Ｓ１は、顧客よりＦＡＸで図面を受信する。
Ｓ２は、ＦＡＸからの注文図面を入力する。これは、Ｓ１で顧客より回線を介して受信した作成依頼された図面（注文図面であって、ビットマップデータ等）を読み込む。
【００２９】
Ｓ３は、図面をビットマップ等で格納する。これは、Ｓ１からＳ２で顧客から受信した作成依頼された図面について、ビットマップ等（ＦＡＸ受信、電子メール受信の場合）あるいはＣＡＤデータ（電子メール受信の場合）などの形式のファイルにして電子図面ＤＢ６に格納する。
【００３０】
Ｓ４は、特注品の作成指示する。これは、電子図面ＤＢ６に格納した電子図面について、ネットワーク２１を介して工場の工程管理システム１１に作成指示する。
【００３１】
Ｓ５は、図面情報のハッシュ演算する。これは、Ｓ４で作成指示した電子図面について、予め決めた値をもとにハッシュ値Ａ（固有値Ａ）を演算し、後述する図４の（ａ）のレコードを作成して当該作成したハッシュ値Ａ（固有値Ａ）を図示のように設定し、電子図面ＤＢ６に格納する（電子図面、製品情報に対応づけて格納する）。
【００３２】
以上のＳ１からＳ５によって、顧客より受注した特注品の図面を電子図面として電子図面ＤＢ６に格納すると共に、ネットワーク２１を介して該当工場の工程管理システム１１に作成指示および当該電子図面から生成したハッシュ値Ａを設定した図４の（ａ）の固有値情報レコードを作成して当該電子図面ＤＢ６に格納することが可能となる。これらにより、受注した特注品の電子図面について作成先に作成指示すると共に、納品された製品８１の出庫時に当該製品８１に貼付されているＩＣタグ９１から読み出したハッシュ値Ｈ（製造時に使用した電子図面から作成したハッシュ値Ｈ）との突合せの準備が完了したこととなる。
【００３３】
（２）  （１）で製造依頼を受けた側で、電子図面をもとに製品（特注品）を作成して納品するときの手順を詳細に説明する。
【００３４】
図２において、Ｓ１１は、作成指示か判別する。これは、既述したＳ４で特注品の作成指示があったか判別する。ＹＥＳの場合には、Ｓ１２に進む。ＮＯの場合には、Ｓ１１を繰り返す。
【００３５】
Ｓ１２は、Ｓ１１のＹＥＳで作成指示があったと判明したので、ネットワーク２１を介して電子図面ＤＢ６から作成指示のあった電子図面を入手し（ダウンロードし）、電子図面ＤＢ１４に格納する。
【００３６】
Ｓ１３は、作成工程と内容をラインへ通知する。これは、Ｓ１２で入手した電子図面で作成する特注品（製品）を作成する工程と、その内容をライン（工場の現場の担当部署）へ通知する。
【００３７】
Ｓ１４は、特注品の作成完了か判別する。ＹＥＳの場合には、Ｓ１３で通知した特注品（製品）の作成が完了したと判明したので、Ｓ１５に進む。ＮＯの場合には、Ｓ１４を繰り返し監視する。
【００３８】
Ｓ１５は、Ｓ１４のＹＥＳで特注品の作成完了と判明したので、作成完了の報告を行う。
【００３９】
Ｓ１６は、図面情報をハッシュ演算しＩＣタグ９に書き込む。これは、特注品８の作成完了したので、当該特注品８を作成するときに使用した電子図面からハッシュ値Ｈを作成してＩＣタグ９に書き込む（図４の（ｂ）のＩＣタグ情報を書き込む）。
【００４０】
Ｓ１７は、納品報告する。これは、Ｓ１６でハッシュ値Ｈを書き込んだＩＣタグ９を貼付した特注品（製品）８を、依頼元（あるいは指定された先）に納品すると共に納品報告する。
【００４１】
以上のＳ１１からＳ１７により、製造依頼元から特注品の作成指示を受けた側（工場側）で、指示された特注品の電子図面をもとに作成した特注品（製品）８に当該電子図面から生成したハッシュ値Ｈを書き込んだＩＣタグ９を貼付し、製造依頼元などにＩＣタグ９を貼付した特注品（製品）８を納品することが可能となる。
【００４２】
（３）  （２）でＩＣタグ９を貼付した特注品（製品）８を納品された製造依頼元などで、出庫するときの動作を詳細に説明する。
【００４３】
図２において、Ｓ６は、納品されたか判別する。これは、既述した図２のＳ１７の納品報告を受けた製造依頼元などで、実際にＩＣタグ９の貼付された特注品（製品）８が納品されたか判別する。ＹＥＳの場合には、Ｓ７に進む。ＮＯの場合には、Ｓ６を繰り返す。
【００４４】
Ｓ７は、Ｓ６のＹＥＳでＩＣタグ９の貼付された特注品８が納品されたと判明したので、特注品のＩＣタグから情報を読み取る。これは、納品された特注品８１に貼付されたＩＣタグ９１からタグ情報を読み取る（例えば図４の（ｂ）のＩＣタグ情報を読み取る）。
【００４５】
Ｓ８は、タグ情報と固有値Ａとを付き合わせ、一致か判別する。これは、納品された製品８１に貼付されているＩＣタグ９１から読み出した図４の（ｂ）のＩＣタグ情報中の固有値Ｈ（ハッシュ値Ｈ）と、既述したＳ５で製造指示時に電子図面から作成して記憶しておいた固有値Ａ（ハッシュ値Ａ）とを突き合わせ、一致か判別する。ＹＥＳの場合には、作成指示時に電子図面から作成した固有値Ａと、作成指示した先で作成した特注品８に貼付されたＩＣタグ９１から読み出した固有値Ｈとが一致し、作成依頼した電子図面で作成した特注品か判別する。ＹＥＳの場合には、固有値Ａと特注品に貼付されたＩＣタグ９１から読み出した固有値Ｈとが一致し、同一の電子図面から作成された特注品であると判明したので、Ｓ９で出庫指示する。一方、ＮＯの場合には、出庫指示は出さない。
【００４６】
以上のＳ６からＳ９によって、作成指示した電子図面から作成指示元で作成した固有値Ａ（例えばハッシュ値Ａ）と、製品に貼付されているＩＣタグから読み出した固有値Ｈ（例えばハッシュ値Ｈ）（製品の製造現場で使用した電子図面から作成してＩＣタグに書き込まれていた固有値Ｈ（例えばハッシュ値Ｈ））とが一致したことで、いずれの電子図面から作成された製品であるかを確実かつ簡単に確認でき、特に、図面からその都度、作成する特注品（規格品の一部のみが異なる特注品）が多数あるときに、いずれの図面から作成した特注品であるかを確実に確認して間違いなく出庫することが可能となる。
【００４７】
図３は、本発明の電子図面例を示す。図示の電子図面は、既述した図２のＳ１、Ｓ２で顧客よりＦＡＸで受信した特注品（製品）のビットマップデータからなる特注図面イメージを示し、（ａ）の上面図、（ｂ）の側面図、（ｃ）の下面図の３面図で構成されるものである。この電子図面は、特注品である、機械部品の「プーリ」のものであって、その径（内径、外径など）が顧客により微妙に異なる電子図面であり、名称はいずれも「プーリ」であり、名称に付与したＩＤ（製品番号）では電子図面と実際に作成した特注品「プーリ」との突き合わせの確認が極めて困難であり、間違いが多く発生していた。
【００４８】
そこで、本発明では、図２のＳ４、Ｓ５で作成指示した電子図面から作成した固有値Ａ（ハッシュ値Ａ）と、特注品「プーリ」を製造したときに現場で使用した電子図面から作成した固有値Ｈ（ハッシュ値Ｈ）を当該現場で特注品「プーリ」に貼付したＩＣタグに書き込んでおき、出庫時に、特注品「プーリ」に貼付されているＩＣタグ９１から読み出した固有値Ｈと、電子図面に対応づけて記憶しておいた（あるいは電子図面から作成した）固有値Ａとを突き合わせて一致したときに出庫指示することにより、品名が同じで形状が微妙に異なる特注品などの場合に、確実に受注した図面に一致する特注品であることを確認して出庫指示することが可能となる。
【００４９】
図４は、本発明の固有値例を示す。
図４の（ａ）は、固有値情報例（Ａ）を示す。これは、既述した図２のＳ５で作成して電子図面ＤＢ６に格納したものであって、品名に対応づけて図示の下記の情報を格納したものである。
【００５０】
・品名：
・図面の有無：
・上面図：
・側面図：
・下面図：
・その他の図：
・固有値Ａ：
・上面図のハッシュ値：
・側面図のハッシュ値：
・下面図のハッシュ値：
・その他の図のハッシュ値：  
ここで、品名は顧客から受注した特注品（製品）の品名である。図面の有無は、図面について上面図、側面図、下面図、その他の図についてそれぞれその有無（１：有、０：無）を設定したものである。固有値Ａは、図面の有無で有と設定した図（上面図、側面図などの図）からそれぞれ生成した固有値Ａ（例えば公知のハッシュ値Ａ（予め決めた値で除算した残余の値（必要に応じて商も付加した値）））を設定したものである。
【００５１】
以上のように、受注した特注品の各図面についてそれぞれ固有値を作成して当該図４の（ａ）の固有値Ａの欄にそれぞれ設定して記憶しておくことにより、出庫時に、納品された特注品に貼付されたＩＣタグから読み出した後述する図４の（ｂ）の固有値Ｈと、当該図４の（ａ）の固有値Ａとを突合せ、一致したときに各図面が完全に一致したものから作成された特注品であることが確認でき、出庫指示間違いを完全に防止することが可能となる。これにより、特に、図面を構成する上面図、側面図、下面図などの中の一部のみ（例えば図３の（ｂ）の側面図にしか表れない寸法のみ）が少し変更された特注品が多数あっても、完全に各図面が一致する特注品を確認して出庫指示することが可能となる。
【００５２】
図４の（ｂ）は、固有値情報例（Ｈ）を示す。これは、既述した図２のＳ１６で作成して特注品８に貼付したＩＣタグ９に書き込んだものであって、品名に対応づけて図示の下記の情報を格納したものである。
【００５３】
・品名：
・図面の有無：
・上面図：
・側面図：
・下面図：
・その他の図：
・固有値Ｈ：
・上面図のハッシュ値：
・側面図のハッシュ値：
・下面図のハッシュ値：
・その他の図のハッシュ値：  
ここで、品名は顧客から受注した特注品（製品）の品名である。図面の有無は、図面について上面図、側面図、下面図、その他の図についてそれぞれその有無（１：有、０：無）を設定したものである。固有値Ｈは、図面の有無で有と設定した図（上面図、側面図などの図）からそれぞれ生成した固有値Ｈ（例えば公知のハッシュ値Ｈ（予め決めた値で除算した残余の値（必要に応じて商も付加した値）））を設定したものである。
【００５４】
以上のように、作成した特注品８に貼付したＩＣタグ９に、当該特注品８を作成するのに使用した各図面についてそれぞれ固有値を作成して当該図４の（ｂ）の固有値Ｈの欄にそれぞれ設定して書き込むことにより、出庫時に、納品された当該特注品に貼付されたＩＣタグから読み出した当該図４の（ｂ）の固有値Ｈと、上述した図４の（ａ）の固有値Ａとを突合せ、一致したときに各図面が完全に一致したものから作成された特注品であることが確認でき、出庫間違いを完全に防止することが可能となる。これにより、特に、図面を構成する上面図、側面図、下面図などの中の一部のみ（例えば図３の（ｂ）の側面図にしか表れない寸法のみ）が少し変更された特注品が多数あっても、完全に各図面が一致する特注品を確認して出庫することが可能となる。
【産業上の利用可能性】
【００５５】
本発明は、依頼時に電子図面から生成して記憶した固有値Ａと、依頼先で電子図面から生成された固有値Ｈの書き込まれたＩＣタグから読み出した当該固有値Ｈとが一致したときに出庫し、電子図面から作成する特注品のように形状などが微妙に異なる部品等の出庫間違いを完全に防止することが可能となる。
【図面の簡単な説明】
【００５６】
【図１】本発明のシステム構成図である。
【図２】本発明の動作説明フローチャートである。
【図３】本発明の電子図面例である。
【図４】本発明の固有値例である。
【符号の説明】
【００５７】
１：受注図面管理システム
２：図面入力手段
３：処理部
４：ハッシュ作成手段
５：確認手段
６、１４：電子図面ＤＢ
７、１５：ＩＣタグリーダ・ライタ
８、８１：製品（特注品）
９、９１：ＩＣタグ
１０：出力部
１１：工程管理システム
１２：ＰＣ装置
１３：ハッシュ作成手段
２１：ネットワーク
【図１】
2006290519.tif 000003
【図２】
2006290519.tif 000004
【図３】
2006290519.tif 000005
【図４】
2006290519.tif 000006